(57)【要約】【課題】重ね合わせて構成される２枚のブレードを備えるスライダーの結合部分が強固に固定される複合針を提供する。【解決手段】フック２０を有する針本体２と、針本体２に対して相対移動することでフック２０を開閉するスライダー３とを備える複合針１αにおいて、スライダー３は、嵌合溝４１を有するスライダー本体４と、嵌合溝４１の底面４１ｂ側に嵌め込まれる内側嵌合領域５０を有する薄板状の内側ブレード５と、嵌合溝４１の開口４１ｏ側に嵌め込まれる外側嵌合領域６０を有し、内側嵌合領域５０の表面の一部を外部に露出した状態で、内側ブレード５の表面上に重ねられる薄板状の外側ブレード６と、かしめにより塑性変形されたスライダー本体４の構成材料で構成されるかしめ部７とを備える。かしめ部７は、内側嵌合領域５０の露出された領域の少なくとも一部を覆う内側かしめ部７２と、外側嵌合領域６０の表面の一部を覆う外側かしめ部７１とを備える。【選択図】図３
2019105011.tif 000002
【特許請求の範囲】
【請求項１】
フックを有する針本体と、前記針本体に対して相対移動することで前記フックを開閉するスライダーとを備える複合針において、
前記スライダーは、
その長手方向に沿って設けられる嵌合溝を有するスライダー本体と、
前記嵌合溝の底面側に嵌め込まれる内側嵌合領域を有する薄板状の内側ブレードと、
前記嵌合溝の開口側に嵌め込まれる外側嵌合領域を有し、前記内側嵌合領域の表面の一部を外部に露出した状態で、前記内側ブレードの表面上に重ねられる薄板状の外側ブレードと、
かしめにより塑性変形された前記スライダー本体の構成材料で構成されるかしめ部とを備え、
前記かしめ部は、
前記内側嵌合領域の露出された領域の少なくとも一部を覆う内側かしめ部と、
前記外側嵌合領域の表面の一部を覆う外側かしめ部とを備える複合針。
【請求項２】
前記内側ブレードは、その長手方向に沿った長さが前記外側ブレードよりも長く、前記内側嵌合領域の表面の一部が外部に露出した露出領域を備える請求項１に記載の複合針。
【請求項３】
前記内側ブレードは、前記露出領域に、前記嵌合溝の底面の一部を露出する後方切欠き部を備える請求項２に記載の複合針。
【請求項４】
前記外側ブレードは、前記外側嵌合領域に、前記内側嵌合領域の表面の一部を外部に露出する外側切欠き部を備える請求項１から請求項３のいずれか１項に記載の複合針。
【請求項５】
前記内側ブレードは、前記内側嵌合領域における前記外側切欠き部に対応する位置に、前記嵌合溝の底面の一部を外部に露出する内側切欠き部を備える請求項４に記載の複合針。
【発明の詳細な説明】
【技術分野】
【０００１】
本発明は、針本体とスライダーとを備える複合針に関する。
【背景技術】
【０００２】
横編機に用いられる編針として、フックを有する針本体と、針本体に対して相対移動するスライダーとを備える複合針が知られている（例えば、特許文献１）。この複合針は、針本体に形成されるスライダー溝にスライダーがスライド自在に嵌め込まれており、針本体に対してスライダーがスライドすることによって、フックの開閉を行う。
【０００３】
スライダーは、フックを開閉する部分となるタングを先端に有する第１スライダー（ブレード）と、第１スライダーの後端に取り付けられる第２スライダー（スライダー本体）とを備える。第１スライダーは、略同一形状の２枚の薄板状体を重ね合わせて構成され、針本体に形成されるスライダー溝に収容される。第２スライダーは、その一側面に第１スライダーの後端が嵌め込まれる長手溝（嵌合溝）を備える。第１スライダーと第２スライダーとは、第２スライダーの長手溝に第１スライダーの後端が嵌め込まれた状態で、第２スライダーの長手溝の側壁などをかしめることで、一体化されている。
【先行技術文献】
【特許文献】
【０００４】
【特許文献１】特許第２９４６３２３号公報
【発明の概要】
【発明が解決しようとする課題】
【０００５】
第１スライダーと第２スライダーとのかしめによる固定は、第１スライダーと第２スライダーとの境界部分の表面側において、第２スライダーの構成材料を塑性変形させて、第１スライダーのうち、長手溝の開口側に位置する薄板状体の表面を第２スライダーの構成材料で部分的に覆うことで行われる。
【０００６】
特許文献１では、第２スライダーの長手溝に対して、略同一形状の２枚の薄板状体が重ね合わされて配置されているため、第１スライダー（２枚の薄板状体）と第２スライダーとのかしめによる固定部分が経時的に緩む虞がある。それは、かしめによって塑性変形した第２スライダーの構成材料の影響は、２枚の薄板状体のうち、長手溝の開口側に位置する薄板状体に対しては直接的に作用するが、長手溝の底面側に位置する薄板状体に対しては実質的に作用しないからである。つまり、２枚の薄板状体のうち、長手溝の底面側に位置する薄板状体と、第２スライダーとの間の固定が直接的になされていないからである。長手溝の底面側に位置する薄板状体が第２スライダーと直接的に固定されていない場合、第１スライダーと第２スライダーとの境界部分にモーメントが負荷されると、経時的に緩みが生じ易い。
【０００７】
本発明は、上記事情に鑑みてなされたものであり、重ね合わせて構成される２枚のブレードを備えるスライダーの結合部分が強固に固定される複合針を提供することを目的の一つとする。
【課題を解決するための手段】
【０００８】
本発明の一態様に係る複合針は、
フックを有する針本体と、前記針本体に対して相対移動することで前記フックを開閉するスライダーとを備える複合針において、
前記スライダーは、
その長手方向に沿って設けられる嵌合溝を有するスライダー本体と、
前記嵌合溝の底面側に嵌め込まれる内側嵌合領域を有する薄板状の内側ブレードと、
前記嵌合溝の開口側に嵌め込まれる外側嵌合領域を有し、前記内側嵌合領域の表面の一部を外部に露出した状態で、前記内側ブレードの表面上に重ねられる薄板状の外側ブレードと、
かしめにより塑性変形された前記スライダー本体の構成材料で構成されるかしめ部とを備え、
前記かしめ部は、
前記内側嵌合領域の露出された領域の少なくとも一部を覆う内側かしめ部と、
前記外側嵌合領域の表面の一部を覆う外側かしめ部とを備える。
【０００９】
上記複合針の一形態として、前記内側ブレードは、その長手方向に沿った長さが前記外側ブレードよりも長く、前記内側嵌合領域の表面の一部が外部に露出した露出領域を備えることが挙げられる。
【００１０】
内側嵌合領域に露出領域を備える上記複合針の一形態として、前記内側ブレードは、前記露出領域に、前記嵌合溝の底面の一部を露出する後方切欠き部を備えることが挙げられる。
【００１１】
上記複合針の一形態として、前記外側ブレードは、前記外側嵌合領域に、前記内側嵌合領域の表面の一部を外部に露出する外側切欠き部を備えることが挙げられる。
【００１２】
外側嵌合領域に外側切欠き部を備える上記複合針の一形態として、前記内側ブレードは、前記内側嵌合領域における前記外側切欠き部に対応する位置に、前記嵌合溝の底面の一部を外部に露出する内側切欠き部を備えることが挙げられる。
【発明の効果】
【００１３】
上記複合針は、スライダー本体の嵌合溝に対して、２枚のブレード（内側ブレード及び外側ブレード）が重ねて嵌め込まれていたとしても、内側ブレードの嵌合溝への嵌合領域（内側嵌合領域）の表面の一部が外部に露出される。そのため、上記複合針は、スライダー本体と２枚のブレードとをかしめによって固定するにあたり、内側ブレード及び外側ブレードのそれぞれに対して、かしめにより塑性変形されたスライダー本体の構成材料を直接的に作用させることができる。具体的には、内側嵌合領域の露出された領域の近傍において、スライダー本体の嵌合溝の開口縁をかしめることで、塑性変形されたスライダー本体の構成材料で内側嵌合領域の露出された領域を覆うことができる。それにより、内側ブレードをスライダー本体に直接的に固定できる。なお、外側ブレードは、スライダー本体の嵌合溝の開口縁をかしめることで、スライダー本体に直接的に固定できる。外側ブレードは、略全面に亘って外部に露出されているため、塑性変形されたスライダー本体の構成材料で外側ブレードの嵌合溝への嵌合領域（外側嵌合領域）の表面を覆うことができるからである。
【００１４】
上述したように、上記複合針は、内側ブレード及び外側ブレードのそれぞれがかしめによりスライダー本体に直接的に固定されることで、スライダー本体と２枚のブレード（内側ブレード及び外側ブレード）とが強固に固定される。よって、スライダー本体と２枚のブレードとの境界部分にモーメントが負荷され続けたとしても、スライダー本体と２枚のブレードとの間に経時的に緩みが生じることを抑制できる。
【００１５】
内側ブレードに外側ブレードよりも長さが長いことで形成される露出領域を備えることで、内側嵌合領域の表面の一部を容易に露出することができる。内側ブレードに露出領域を備えることで、外側ブレードとの長さの差にもよるが、かしめる位置やかしめる数の自由度を高められる。
【００１６】
露出領域に後方切欠き部を備えることで、嵌合溝の底面の一部が外部に露出される。よって、露出領域の近傍において、スライダー本体の嵌合溝の開口縁をかしめると、塑性変形されたスライダー本体の構成材料は、後方切欠き部の内部に侵入し、嵌合溝の底面及び壁面と、内側嵌合領域の側面（内側ブレードの厚さ方向に沿った面）との間に介在される。それにより、塑性変形されたスライダー本体の構成材料は、内側嵌合領域の露出領域を覆うだけでなく、内側嵌合領域の側面からも支持することになり、内側ブレードをスライダー本体により強固に固定できる。
【００１７】
外側嵌合領域に外側切欠き部を備えることで、内側嵌合領域の表面の一部を容易に露出することができる。また、外側嵌合領域に外側切欠き部を備えることで、外形及び長さが略同一のブレードを用いることができ、ブレード本体に対して内側ブレードと外側ブレードとを重ね易い。
【００１８】
内側嵌合領域における外側切欠き部に対応する位置に内側切欠き部を備えることで、嵌合溝の底面の一部が外部に露出される。よって、内側嵌合領域の露出された領域の近傍において、スライダー本体の嵌合溝の開口縁をかしめると、塑性変形されたスライダー本体の構成材料は、外側切欠き部を介して内側切欠き部の内部に侵入し、嵌合溝の底面及び壁面と、内側嵌合領域の側面（内側ブレードの厚さ方向に沿った面）との間に介在される。それにより、塑性変形されたスライダー本体の構成材料は、内側嵌合領域の露出された領域を覆うだけでなく、内側嵌合領域の側面からも支持することになり、内側ブレードをスライダー本体により強固に固定できる。
【図面の簡単な説明】
【００１９】
【図１】実施形態１に係る複合針の構成図であって、（Ａ）は針本体のフックが閉じた状態を示す図、（Ｂ）は針本体のフックが開いた状態を示す図である。
【図２】実施形態１に係る複合針の分解図である。
【図３】実施形態１に係る複合針に備わるスライダーのかしめ部近傍を示し、（Ａ）は図１に示す一点鎖線で囲む領域の拡大図であり、（Ｂ）は（Ａ）に示す（ｂ）−（ｂ）線で切断した切断図である。
【図４】実施形態２に係る複合針に備わるスライダーを示す構成図である。
【図５】（Ａ）は図４に示す（Ｖ）−（Ｖ）線で切断した断面図であり、（Ｂ）は後方切欠き部の寸法を説明する説明図である。
【図６】実施形態３に係る複合針に備わるスライダーを示す構成図である。
【図７】（Ａ）は図６に示す（ＶＩＩ）−（ＶＩＩ）線で切断した断面図であり、（Ｂ）は外側切欠き部の寸法を説明する説明図である。
【図８】実施形態４に係る複合針に備わるスライダーのかしめ部近傍を示し、（Ａ）は図６に示す一点鎖線で囲む領域の拡大図であり、（Ｂ）は（Ａ）に示す（ｂ）−（ｂ）線で切断した断面図である。
【図９】実施形態４に係る複合針に備わるスライダーの別の一例を示し、かしめ部近傍を示す断面図である。
【発明を実施するための形態】
【００２０】
＜実施形態１＞
実施形態１に係る複合針１αを図１〜図３に基づいて説明する。図１、図２、及び図３（Ａ）では、紙面上方及び下方がそれぞれ、複合針１αの前方及び後方で、紙面右方及び左方がそれぞれ、複合針１αの下方及び上方であり、紙面奥行き方向が複合針１αの厚み方向である。図３（Ｂ）では、紙面奥側及び手前側がそれぞれ、複合針１αの前方及び後方で、紙面右方及び左方がそれぞれ、複合針１αの下方及び上方であり、紙面上下方向が複合針１αの厚み方向である。
【００２１】
複合針１αは、図１及び図２に示すように、フック２０を有する針本体２と、針本体２に対して相対移動することでフック２０を開閉するスライダー３とを備える。本例の複合針１αは、２枚ベッドの横編機にも、４枚ベッドの横編機にも使用できる。以下、実施形態１に係る複合針１αの各構成を詳細に説明する。
【００２２】
≪針本体≫
針本体２は、図１及び図２に示すように、先端に設けられるフック２０と、先端側の上面に設けられるスライダー溝２１とを備える。スライダー溝２１には、後述するスライダー３のブレード（内側ブレード５及び外側ブレード６）がスライド自在に嵌め込まれる（図１を参照）。針本体２に対してスライダー３（内側ブレード５及び外側ブレード６）がスライドすることによって、フック２０の開閉が行われる。フック２０の開閉動作については、後の内側ブレード５及び外側ブレード６の説明の際に詳述する。針本体２の後端側の上面には、上方に突出することでスライダー３に当接し、スライダー３のスライド後退の限界位置を規定する係合部２２を備える。
【００２３】
≪スライダー≫
スライダー３は、図１及び図２に示すように、スライダー本体４と、スライダー本体４に取り付けられる内側ブレード５及び外側ブレード６とを備える。内側ブレード５及び外側ブレード６は、図３に示すように、スライダー本体４の表面をかしめることにより形成されるかしめ部７によって、スライダー本体４に固定されている。図３（Ａ）では、説明の便宜上、かしめ部７を設ける領域を大まかに矩形状のハッチングで示す。
【００２４】
〔スライダー本体〕
スライダー本体４は、図１〜図３に示すように、その下面から下方に突出する連結部４０を備える。連結部４０は、スライダー本体４の長手方向にある程度の長さを有する。スライダー本体４は、連結部４０の側面（図１及び図２の紙面手前側の面）に長手方向に沿って設けられる嵌合溝４１を備える。嵌合溝４１に後述する内側ブレード５及び外側ブレード６が嵌め込まれることで、スライダー本体４に内側ブレード５及び外側ブレード６が連結される。嵌合溝４１は、図３（Ｂ）に示すように、底面４１ｂと、スライダー本体４の長手方向に沿うと共に、底面４１ｂに対して垂直に設けられる壁面４１ｓとで構成され、底面４１ｂと対向する側に開口４１ｏを備える。本例では、スライダー本体４は、図１及び図２に示すように、嵌合溝４１に連続してスライダー本体４の上方側に窪む凹部４１０を備える。本例では、凹部４１０は、スライダー本体４の厚み方向に貫通する貫通孔である。スライダー本体４の連結部４０の後端部は、スライダー３のスライド後端位置において針本体２の係合部２２に当て止される係合部４２（図１）となっている。
【００２５】
〔内側ブレード及び外側ブレード〕
内側ブレード５及び外側ブレード６は、図２に示すように、外形が略同一の薄板状体である。内側ブレード５及び外側ブレード６はそれぞれ、スライダー本体４の嵌合溝４１に嵌め込まれる内側嵌合領域５０及び外側嵌合領域６０を備える。内側ブレード５及び外側ブレード６は、図３に示すように、内側ブレード５の内側嵌合領域５０が嵌合溝４１の底面４１ｂ側に位置し、外側ブレード６の外側嵌合領域６０が嵌合溝４１の開口４１ｏ側に位置するように、重ねられて嵌合溝４１に嵌め込まれる。
【００２６】
内側ブレード５は、図２に示すように、先端に設けられ、編目の目移しの際に編目が係止されるタング５ｔと、後端に設けられ、嵌合溝４１に嵌め込まれる内側嵌合領域５０とを備える。内側ブレード５の先端側の下端面が、針本体２のスライダー溝２１に嵌め込まれる。本例では、内側ブレード５は、内側嵌合領域５０に連続して内側ブレード５の上方側に突出する凸部５２を備える。凸部５２は、スライダー本体４の凹部４１０に嵌め込まれる。つまり、内側ブレード５は、凸部５２が凹部４１０に嵌め込まれると共に、内側嵌合領域５０が嵌合溝４１に嵌め込まれることで、スライダー本体４に対して位置決めされる。
【００２７】
外側ブレード６も、内側ブレード５と同様に、先端に設けられ、編目の目移しの際に編目が係止されるタング６ｔと、後端に設けられ、嵌合溝４１に嵌め込まれる外側嵌合領域６０とを備える（図２を参照）。外側ブレード６の先端側の下端面が、針本体２のスライダー溝２１に嵌め込まれる。本例では、外側ブレード６は、外側嵌合領域６０に連続して外側ブレード６の上方側に突出する凸部６２を備える。凸部６２は、スライダー本体４の凹部４１０に嵌め込まれる。つまり、外側ブレード６は、凸部６２が凹部４１０に嵌め込まれると共に、外側嵌合領域６０が嵌合溝４１に嵌め込まれることで、スライダー本体４に対して位置決めされる。
【００２８】
内側ブレード５は、その長手方向に沿った長さが外側ブレード６よりも長い。より具体的には、内側嵌合領域５０の長さが外側嵌合領域６０よりも長い。内側ブレード５の長手方向の長さが外側ブレード６よりも長いことで、内側ブレード５の内側嵌合領域５０は、表面が外部に露出した露出領域５１を備える（図１及び図３（Ａ）を参照）。内側ブレード５の長手方向の長さは、後述する内側かしめ部７２を形成可能な大きさの露出領域５１が得られる長さを適宜選択できる。例えば、内側嵌合領域５０の長手方向の長さは、外側嵌合領域６０の長さの１．２倍以上３．０倍以下であることが挙げられる。
【００２９】
内側ブレード５及び外側ブレード６は、図１（Ａ）に示すように、針本体２に対してスライダー３が進出すると、フック２０の先端部を挟み込むことで、フック２０を閉じる。一方、内側ブレード５及び外側ブレード６は、図１（Ｂ）に示すように、針本体２に対してスライダー３が後退すると、内側ブレード５及び外側ブレード６の先端側の下端面が針本体２のスライダー溝２１内で後退する。スライダー３が最も後退すると、針本体２の係合部２２にスライダー本体４の係合部４２が当接し、スライダー３の後退の限界位置に規制される。
【００３０】
〔かしめ部〕
かしめ部７は、スライダー本体４に対して、内側ブレード５及び外側ブレード６を固定する。かしめ部７は、かしめにより塑性変形されたスライダー本体４の構成材料で構成される。かしめ部７は、スライダー本体４から嵌合溝４１の内方に向かって迫り出ている。
【００３１】
本例では、かしめ部７は、図３（Ａ）に示すように、内側ブレード５と外側ブレード６とが重ねられた領域に三つの外側かしめ部７１と、内側ブレード５の露出領域５１に二つの内側かしめ部７２とを備える。外側かしめ部７１は、外側ブレード６の凸部６２における前後方向に対向する縁部に二つと、外側嵌合領域６０における凸部６２の突出方向と反対側の下側の縁部に一つとを備える。外側かしめ部７１は、外側嵌合領域６０の縁部表面を覆うように、スライダー本体４から嵌合溝４１の内方に向かって迫り出て形成されている。内側かしめ部７２は、露出領域５１の下側の縁部と上側の縁部とに一つずつ備える。本例では、露出領域５１の下側に設けられるかしめ部７２と、上側に設けられるかしめ部７２とは、対向位置にある。内側かしめ部７２は、図３（Ｂ）に示すように、露出領域５１の縁部表面を覆うように、スライダー本体４から嵌合溝４１の内方に迫り出て形成されている。
【００３２】
内側ブレード５に外側ブレード６よりも長さが長いことで形成される露出領域５１を備えることで、内側かしめ部７２が、露出領域５１（内側嵌合領域５０）を覆うように形成されるため、内側ブレード５をスライダー本体４に直接的に固定できる。内側ブレード５に露出領域５１を備えることで、外側ブレード６との長さの差にもよるが、かしめる位置やかしめる数の自由度を高められる。例えば、露出領域５１の下側や上側にそれぞれ複数の内側かしめ部７２を備えることができる。なお、外側ブレード６は、外側かしめ部７１によってスライダー本体４に直接的に固定できる。以上より、本例の複合針１αは、内側ブレード５及び外側ブレード６のそれぞれがかしめ部７によりスライダー本体４に直接的に固定されることで、スライダー本体４と２枚のブレード（内側ブレード５及び外側ブレード６）との境界部分にモーメントが負荷され続けたとしても、スライダー本体４と２枚のブレードとの間に経時的に緩みが生じることを抑制できる。
【００３３】
＜実施形態２＞
実施形態２に係る複合針１βを図４及び図５に基づいて説明する。図４及び図５（Ｂ）の見方は実施形態１の図１及び図３（Ａ）と同様であり、図５（Ａ）の見方は図３（Ｂ）と同様である。図４及び図５では、実施形態１と同様の機能を有する構成に実施形態１と同一の符号を付している。以下、本実施形態では、実施形態１との相違点を中心に説明する。
【００３４】
本例の複合針１βと実施形態１の複合針１αとの主な相違点は、露出領域５１に後方切欠き部５４を備える点にある。後方切欠き部５４は、嵌合溝４１の底面４１ｂの一部を露出可能な大きさを有する。後方切欠き部５４を備えることで、内側かしめ部７２が存在しない状態では、嵌合溝４１の壁面４１ｓと、嵌合溝４１の底面４１ｂと、露出領域５１における壁面４１ｓと対向する面（側面）とで、空間が形成される。この空間に、塑性変形されたスライダー本体４の構成材料が侵入し、内側かしめ部７２が形成される。
【００３５】
後方切欠き部５４は、その内部に介在された内側かしめ部７２により内側ブレード５を固定可能な大きさを適宜選択できる。例えば、後方切欠き部５４は、内側ブレード５の上下方向の最も長い長さＬ１が、内側ブレード５の上下方向の長さＷの０．１倍以上０．３倍以下であることが挙げられる（図５（Ｂ））。また、後方切欠き部５４は、内側ブレード５の前後方向の最も長い長さＬ２が、後方切欠き部５４の上下方向の長さＬ１の１倍以上１０倍以下であることが挙げられる。そうすることで、後方切欠き部５４の形成によって、内側ブレード５の強度が大きく低下することはない。後方切欠き部５４の形状は、嵌合溝４１の底面４１ｂの露出された領域に内側かしめ部７２を形成でき、かつその内側かしめ部７２により内側嵌合領域５０の側面（内側ブレード５の厚さ方向に沿った面）を押圧できる形状を適宜選択できる。例えば、後方切欠き部５４は、上面視での形状を矩形状や円弧状などとすることができる。
【００３６】
本例では、後方切欠き部５４は、図４に示すように、露出領域５１の下側の縁部と上側の縁部とに一つずつ設けているが、その形成位置や数は選択できる。例えば、露出領域５１の下側や上側にそれぞれ複数の後方切欠き部５４を備えることができる。
【００３７】
露出領域５１に後方切欠き部５４を備えることで、内側かしめ部７２は、図５（Ａ）に示すように、露出領域５１（内側嵌合領域５０）の表面を覆うと共に、内側嵌合領域５０の側面を支持するため、内側ブレード５をスライダー本体４に直接的により強固に固定できる。
【００３８】
＜実施形態３＞
実施形態３に係る複合針１γを図６及び図７に基づいて説明する。図６及び図７（Ｂ）の見方は実施形態１の図１及び図３（Ａ）と同様であり、図７（Ａ）の見方は図３（Ｂ）と同様である。図６及び図７では、実施形態１と同様の機能を有する構成に実施形態１と同一の符号を付している。以下、本実施形態では、実施形態１との相違点を中心に説明する。
【００３９】
本例の複合針１γと実施形態１の複合針１αとの主な相違点は、内側ブレード５と外側ブレード６の長さが略同一であり、外側ブレード６の外側嵌合領域６０に外側切欠き部６３を備える点にある。外側切欠き部６３は、図６に示すように、内側ブレード５と外側ブレード６とを重ねたときに、内側ブレード５の内側嵌合領域５０の表面の一部を外部に露出可能な大きさを有する。外側切欠き部６３を備えることで、かしめ部７２が存在しない状態では、嵌合溝４１の壁面４１ｓと、内側嵌合領域５０の表面と、外側嵌合領域６０における壁面４１ｓと対向する面（側面）とで、空間が形成される。この空間に、内側かしめ部７２が形成される。
【００４０】
外側切欠き部６３は、内側嵌合領域５０の露出された領域に内側かしめ部７２を形成する工具が配置できる大きさを適宜選択できる。例えば、外側切欠き部６３は、外側ブレード６の上下方向の最も長い長さＬ３が、外側ブレード６の上下方向の長さＷの０．０７倍以上０．５倍以下であることが挙げられる（図７（Ｂ））。また、外側切欠き部６３は、外側ブレード６の前後方向の最も長い長さＬ４が、外側切欠き部６３の上下方向の最も長い長さＬ３の１倍以上１０倍以下であることが挙げられる。そうすることで、外側切欠き部６３の形成によって、外側ブレード６の強度が大きく低下することはない。外側切欠き部６３の形状は、内側嵌合領域５０の露出された領域に内側かしめ部７２を形成可能な形状を適宜選択できる。例えば、外側切欠き部６３は、上面視での形状を矩形状や円弧状などとすることができる。
【００４１】
本例では、外側切欠き部６３は、図６に示すように、外側嵌合領域６０の後方かつ下側の縁部に一つ設けているが、その形成位置及び数は適宜選択できる。例えば、外側嵌合領域６０の前方や、外側嵌合領域６０の上側の縁部に外側切欠き部６３を設けることができる。また、外側嵌合領域６０に複数の外側切欠き部６３を備えることができる。
【００４２】
本例では、かしめ部７は、図６に示すように、内側ブレード５の凸部５２及び外側ブレード６の凸部６２近傍に三つの外側かしめ部７１と、外側切欠き部６３近傍に一つの内側かしめ部７２とを備える。外側かしめ部７１は、外側ブレード６の凸部６２における前後方向に対向する縁部に二つと、外側嵌合領域６０における凸部６２の突出方向と反対側の下側の縁部に一つとを備える。外側かしめ部７１が形成される領域には、外側切欠き部が設けられていない。そのため、外側かしめ部７１は、外側ブレード６の縁部表面を覆うように、スライダー本体４から嵌合溝４１の内方に向かって迫り出て形成されている。一方、内側かしめ部７２が形成される領域には、外側嵌合領域６０に外側切欠き部６３が設けられている。そのため、内側かしめ部７２は、外側切欠き部６３の内部に入り込み、かつ内側嵌合領域５０の表面を覆うように、スライダー本体４から嵌合溝４１の内方に迫り出て形成されている。なお、内側かしめ部７２は、外側切欠き部６３の内部に入り込むと共に、外側切欠き部６３の縁部まで迫り出ることで、内側嵌合領域５０の表面を覆い、かつ外側嵌合領域６０の縁部表面を覆うように形成されていてもよい。内側かしめ部７２が、外側嵌合領域６０の表面まで覆うことで、内側かしめ部７２によって内側ブレード５及び外側ブレード６の双方をスライダー本体４に強固に固定できる。
【００４３】
外側嵌合領域６０に外側切欠き部６３を備えることで、内側かしめ部７２が、内側嵌合領域５０の表面を覆うため、内側ブレード５をスライダー本体４に直接的に固定できる。なお、外側ブレード６は、外側切欠き部６３の有無に関係なく、外側かしめ部７１によってスライダー本体４に直接的に固定できる。
【００４４】
＜実施形態４＞
実施形態４に係る複合針１δを図８及び図９に基づいて説明する。図８（Ａ）の見方は実施形態３の図６と同様であり、図８（Ｂ）及び図９の見方は図７（Ａ）と同様である。図８及び図９では、実施形態３と同様の機能を有する構成に実施形態３と同一の符号を付している。以下、本実施形態では、実施形態３との相違点を中心に説明する。
【００４５】
本例の複合針１δと実施形態３の複合針１γとの主な相違点は、内側ブレード５に内側切欠き部５３を備える点にある。内側切欠き部５３は、内側嵌合領域５０における外側切欠き部６３に対応する位置に設けられ、内側ブレード５と外側ブレード６とを重ねて嵌合溝４１に嵌め込んだときに、嵌合溝４１の底面４１ｂの一部を外部に露出可能な大きさを有する。内側切欠き部５３を備えることで、内側かしめ部７２が存在しない状態では、嵌合溝４１の壁面４１ｓと、嵌合溝４１の底面４１ｂと、内側嵌合領域５０における壁面４１ｓと対向する面（側面）とで、空間が形成される。この空間に、塑性変形されたスライダー本体４の構成材料が外側切欠き部６３を介して侵入し、内側かしめ部７２が形成される。
【００４６】
内側切欠き部５３は、外側切欠き部６３よりも小さく、かつ内側切欠き部５３内に介在された内側かしめ部７２により内側ブレード５を固定可能な大きさを適宜選択できる。例えば、内側切欠き部５３は、平面視した面積が外側切欠き部６３の平面視した面積の０．０１倍以上０．２倍以下であることが挙げられる。そうすることで、嵌合溝４１の底面４１ｂ、内側嵌合領域５０の表面、及び外側嵌合領域６０の表面で段差が形成され、嵌合溝４１の底面４１ｂの一部及び内側嵌合領域５０の表面の一部を外部に露出することができる。内側切欠き部５３の形状は、嵌合溝４１の底面４１ｂの露出された領域に内側かしめ部７２を形成でき、かつ内側かしめ部７２により内側嵌合領域５０の側面（内側ブレード５の厚さ方向に沿った面）を押圧できる形状を適宜選択できる。例えば、内側切欠き部５３は、上面視での形状を矩形状や円弧状などとすることができる。
【００４７】
内側かしめ部７２は、外側切欠き部６３の内部に入り込み、かつ内側切欠き部５３の内部に入り込むことで、内側嵌合領域５０の表面を覆うと共に、嵌合溝４１の底面４１ｂ及び壁面４１ｓと、内側嵌合領域５０の側面（内側ブレード５の厚さ方向に沿った面）との間に介在される。このとき、内側かしめ部７２は、図８（Ｂ）に示すように、外側嵌合領域６０の縁部表面を覆わずに形成されていてもよいし、図９に示すように、外側嵌合領域６０の縁部表面を覆うように形成されていてもよい。
【００４８】
外側切欠き部６３に加えて内側切欠き部５３を備えることで、内側かしめ部７２が、内側嵌合領域５０の表面を覆うと共に、内側嵌合領域５０の側面を支持するため、内側ブレード５をスライダー本体４に直接的により強固に固定できる。更に、内側かしめ部７２が、外側嵌合領域６０の表面までをも覆うと、内側ブレード５と外側ブレード６とを一体にしてスライダー本体４に直接的により強固に固定できる。
【００４９】
＜その他＞
スライダー本体のかしめは、嵌合溝が形成されていない面（以下、裏面）に対しても行うことができる。内側嵌合領域は、その横断面において、厚み方向に対向する二面を表面及び裏面、その表面と裏面とを繋ぐ二面をそれぞれ側面とすると、表面又は裏面と側面とで形成される角部に丸みを有することがある。丸みを有する角部が嵌合溝の底面側に位置するように内側嵌合領域を嵌合溝に嵌め込むと、嵌合溝の壁面と、嵌合溝の底面と、内側嵌合領域の角部とで、空間が形成され得る。そこで、この空間に向けてスライダー本体の裏面をかしめることで、スライダー本体の底面側の構成材料が塑性変形し、上記丸みに沿った略三角形状の領域にまでスライダー本体の構成材料が入り込み、上記空間をかしめ部によって埋めることができる。
【符号の説明】
【００５０】
１α、１β、１γ、１δ  複合針
２  針本体
２０  フック
２１  スライダー溝
２２  係合部
３  スライダー
４  スライダー本体
４０  連結部
４１  嵌合溝
４１ｂ  底面
４１ｓ  壁面
４１ｏ  開口
４１０  凹部
４２  係合部
５  内側ブレード
５ｔ  タング
５０  内側嵌合領域
５１  露出領域
５２  凸部
５３  内側切欠き部
５４  後方切欠き部
６  外側ブレード
６ｔ  タング
６０  外側嵌合領域
６２  凸部
６３  外側切欠き部
７  かしめ部
７１  外側かしめ部
７２  内側かしめ部
【図１】
2019105011.tif 000003
【図２】
2019105011.tif 000004
【図３】
2019105011.tif 000005
【図４】
2019105011.tif 000006
【図５】
2019105011.tif 000007
【図６】
2019105011.tif 000008
【図７】
2019105011.tif 000009
【図８】
2019105011.tif 000010
【図９】
2019105011.tif 000011